【手続補正書】
【提出日】平成30年11月2日(2018.11.2)
【手続補正１】
【補正対象書類名】明細書
【補正対象項目名】０００６
【補正方法】変更
【補正の内容】
【０００６】
上記目的を達成するため、本発明の一態様のデータ処理システムは、
第１の機器と第２の機器とが連携して所定のデータ処理を行うデータ処理システムであって、
前記第１の機器から送信され前記第２の機器が受信したデータを管理するデータ管理処理を実行させるための第１プログラムを記憶する記憶部と、
前記第２の機器において前記第１プログラムが停止している状態で、前記第１の機器と前記第２の機器との通信接続が維持される第１の通信方式により通信を行う第１通信部と、
前記第２の機器において前記第１のプログラムが起動している状態で、前記第１の機器と前記第２の機器との間の通信接続が維持される第２の通信方式により通信を行う第２通信部と、
前記第２の機器において前記第１プログラムが起動していない場合には、前記第１通信部で前記第１の機器と前記第２の機器との間で所定の通信を行うことにより当該第２の機器で前記第１のプログラムを起動状態に移行させた後に、前記第１の機器と前記第２の機器との間で、前記第２通信部を介してデータ転送を行って前記データ管理処理を実行させる制御部と、
を備えることを特徴とする。
【手続補正２】
【補正対象書類名】特許請求の範囲
【補正対象項目名】全文
【補正方法】変更
【補正の内容】
【特許請求の範囲】
【請求項１】
第１の機器と第２の機器とが連携して所定のデータ処理を行うデータ処理システムであって、
前記第１の機器から送信され前記第２の機器が受信したデータを管理するデータ管理処理を実行させるための第１プログラムを記憶する記憶部と、
前記第２の機器において前記第１プログラムが停止している状態で、前記第１の機器と前記第２の機器との通信接続が維持される第１の通信方式により通信を行う第１通信部と、
前記第２の機器において前記第１のプログラムが起動している状態で、前記第１の機器と前記第２の機器との間の通信接続が維持される第２の通信方式により通信を行う第２通信部と、
前記第２の機器において前記第１プログラムが起動していない場合には、前記第１通信部で前記第１の機器と前記第２の機器との間で所定の通信を行うことにより当該第２の機器で前記第１のプログラムを起動状態に移行させた後に、前記第１の機器と前記第２の機器との間で、前記第２通信部を介してデータ転送を行って前記データ管理処理を実行させる制御部と、
を備えることを特徴とするデータ処理システム。
【請求項２】
前記第１の機器は、
前記第１通信部と、
前記第２通信部と、
取得したデータを前記第２通信部を介して前記第２の機器に送信する制御部と、
を備え、
前記第２の機器は、
前記記憶部と、
前記第１プログラムを停止状態と起動状態とに切り換える制御部と、
前記第１通信部と、
前記第２通信部と、
を備え、
前記第１の機器の制御部は、
前記第２の機器の前記第１プログラムが停止している状態において、前記第１通信部を介して前記第２の機器に対して所定の信号を送信し、取得したデータを前記第２通信部を介して前記第２の機器に送信し、
前記第２の機器の制御部は、
前記第２の機器の前記第１プログラムが停止している状態において、前記第１通信部を介して前記第１の機器から前記所定の信号を受信した場合に前記第１プログラムを停止状態から起動状態に切り換え、前記第１の機器から前記第２通信部を介して受信したデータを管理対象に指定して前記第１プログラムにより前記データ管理処理を実行させる、
ことを特徴とする請求項１に記載のデータ処理システム。
【請求項３】
前記第２の機器の記憶部は、
前記第２通信部を介して前記第１の機器からデータを受信するデータ受信処理を実行させるための第２プログラムを更に記憶し、
前記第２の機器の制御部は、
前記第１プログラムおよび前記第２プログラムを停止状態と起動状態とで切り換え、
前記第１の機器の制御部は、
前記第２の機器の前記第１プログラムが停止し、前記第２プログラムが起動している状態において前記第２の機器に対して前記第１通信部を介して所定の信号を送信し、その後、取得したデータを前記第２通信部を介して前記第２の機器に送信し、
前記第２の機器の制御部は、
前記第２の機器の前記第１プログラムが停止し、前記第２プログラムが起動している状態において前記第２プログラムが実行するデータ受信処理により前記第１通信部を介して前記第１の機器から前記所定の信号を受信した場合に、前記第１プログラムを停止状態から起動状態に切り換え、その後、前記第２通信部を介して前記第１の機器から受信したデータを管理対象に指定して前記第１プログラムにより前記データ管理処理を実行させる、
ことを特徴とする請求項２に記載のデータ処理システム。
【請求項４】
前記第１の機器の制御部は、
前記第１通信部を介して第２の機器から前記第１プログラムの起動要求を受信した場合に、前記第１通信部を介して第２の機器に対して前記第１プログラムの起動通知を送信し、
前記第２の機器の制御部は、
前記第２プログラムから前記第１プログラムを直接起動できない場合に前記第１通信部を介して前記第１の機器に対して前記第１プログラムの起動要求を送信し、この起動要求に応じて前記第１の機器から送信される起動通知により前記第１プログラムを停止状態から起動状態に切り換える、
ことを特徴とする請求項３に記載のデータ処理システム。
【請求項５】
前記第１通信部は、前記第２通信部よりも省電力であり、
前記制御部は、前記第２通信部の通信では前記第１プログラムを起動せず、前記第１通信部の通信により前記第１プログラムを起動する、
ことを特徴とする請求項１乃至４の何れかに記載のデータ処理システム。
【請求項６】
前記データ管理処理は、指定されたデータを複数のグループのいずれかに振り分けて管理する処理であり、
前記制御部は、前記第１プログラムの実行により受信したデータをグループ管理対象に指定してデータ管理処理を実行させる、
ことを特徴とする請求項１乃至５の何れかに記載のデータ処理システム。
【請求項７】
前記第１の機器の制御部は、
データ共有サービスを提供する複数の異なるネットワーク上のサービスを選択し、
前記第２の機器の制御部は、
受信したデータを選択されたサービスを提供するサーバに送信する、
ことを特徴とする請求項２乃至４の何れかに記載のデータ処理システム。
【請求項８】
前記第１の機器は、
撮影により画像データを取得する機能を備える撮像装置である、
ことを特徴とする請求項１乃至７何れかに記載のデータ処理システム。
【請求項９】
前記第２の機器は、複数の異なる種類があり、
前記制御部は、前記種類により、前記起動の制御を変える、
ことを特徴とする請求項１乃至８の何れかに記載のデータ処理システム。
【請求項１０】
第２の機器と連携して所定のデータ処理を行うデータ処理装置であって、
前記第２の機器において、前記データ処理装置から送信されたデータを管理するデータ管理処理を実行させるための第１プログラムが停止している状態で、前記第２の機器との通信接続が維持される第１の通信方式により当該第２の機器と通信を行う第１通信部と、
前記第２の機器において前記第１のプログラムが起動している状態で、前記第２の機器との通信接続が維持される第２の通信方式により当該第２の機器と通信を行う第２通信部と、
前記第２の機器において前記第１プログラムが起動していない場合には、前記第１通信部で第２の機器との間で所定の通信を行うことにより当該第２の機器で前記第１のプログラムを起動状態に移行させた後に、前記第２の機器との間で前記第２通信部を介してデータ転送を実行する制御部と、
を備えることを特徴とするデータ処理装置。
【請求項１１】
前記データ処理装置は撮影により画像データを取得する機能を備える撮像装置である、
ことを特徴とする請求項１０に記載のデータ処理装置。
【請求項１２】
前記制御部は、
自動送信モードが設定された状態で新たな画像データが取得された場合は、この画像データを前記第２通信部により前記第２の機器へ送信する、
ことを特徴とする請求項１１に記載のデータ処理装置。
【請求項１３】
第１の機器と連携して所定のデータ処理を行うデータ処理装置であって、
前記第１の機器から送信され受信したデータを管理するデータ管理処理を実行させるための第１プログラムを記憶する記憶部と、
前記第１プログラムが停止している状態で、前記第１の機器との通信接続が維持される第１の通信方式により通信を行う第１通信部と、
前記第１のプログラムが起動している状態で前記第１の機器との間の通信接続が維持される第２の通信方式により通信を行う第２通信部と、
前記第１プログラムが起動していない場合には、前記第１通信部で前記第１の機器との間で所定の通信を行うことにより前記第１のプログラムを起動状態に移行させた後に、前記第１の機器との間で前記第２通信部を介してデータ転送を行って前記データ管理処理を実行させる制御部と、
を備えることを特徴とするデータ処理装置。
【請求項１４】
前記データ処理装置は、複数の異なる種類があり、
前記制御部は、前記種類により、前記起動の制御を変える、
ことを特徴とする請求項１３に記載のデータ処理装置。
【請求項１５】
第１の機器と第２の機器とが連携して所定のデータ処理を行うデータ処理システムで実行されるデータ処理方法であって、
前記第１の機器から送信され前記第２の機器が受信したデータを管理するデータ管理処理を実行させるための第１プログラムを記憶する記憶ステップと、
前記第２の機器において前記第１プログラムが停止している状態で、前記第１の機器と前記第２の機器との通信接続が維持される第１の通信方式により通信を行う第１通信ステップと、
前記第２の機器において前記第１のプログラムが起動している状態で、前記第１の機器と前記第２の機器との間の通信接続が維持される第２の通信方式により通信を行う第２通信ステップと、
前記第２の機器において前記第１プログラムが起動していない場合には、前記第１通信ステップで前記第１の機器と第２の機器との間で所定の通信を行うことにより当該第２の機器で前記第１のプログラムを起動状態に移行させた後に、前記第２通信ステップで前記第１の機器から前記第２の機器へデータ転送を行って前記データ管理処理を実行させる制御ステップと、
を備えることを特徴とするデータ処理方法。
【請求項１６】
第１の機器と第２の機器とが連携して所定のデータ処理を行うようにコンピュータを実行させるプログラムであって、
前記コンピュータを
前記第１の機器から送信され前記第２の機器が受信したデータを管理するデータ管理処理を実行させるための第１プログラムを記憶する記憶部、
前記第２の機器において前記第１プログラムが停止している状態で、前記第１の機器と前記第２の機器との通信接続が維持される第１の通信方式により通信を行う第１通信部、
前記第２の機器において前記第１のプログラムが起動している状態で、前記第１の機器と前記第２の機器との間の通信接続が維持される第２の通信方式により通信を行う第２通信部、
前記第２の機器において前記第１プログラムが起動していない場合には、前記第１通信部で前記第１の機器と前記第２の機器との間で所定の通信を行うことにより当該第２の機器で前記第１のプログラムを起動状態に移行させた後に、前記第１の機器と前記第２の機器との間で前記第２通信部を介してデータ転送を行って前記データ管理処理を実行させる制御部、
として機能させるプログラム。
【請求項１７】
データ処理装置において、第２の機器と連携して所定のデータ処理を行うデータ処理方法であって、
前記第２の機器において、前記データ処理装置から送信されたデータを管理するデータ管理処理を実行させるための第１プログラムが停止している状態で、前記第２の機器との通信接続が維持される第１の通信方式により当該第２の機器と通信を行う第１通信ステップと、
前記第２の機器において前記第１のプログラムが起動している状態で、前記第２の機器との通信接続が維持される第２の通信方式により当該第２の機器と通信を行う第２通信ステップと、
前記第２の機器において前記第１プログラムが起動していない場合には、前記第１通信ステップで前記第２の機器との間で所定の通信を行うことにより当該第２の機器で第１のプログラムを起動状態に移行させた後に、前記第２通信ステップで前記第２の機器へのデータ転送を実行する制御ステップと、
を有することを特徴とするデータ処理方法。
【請求項１８】
第２の機器と連携して所定のデータ処理を行うようにコンピュータを実行させるプログラムであって、
前記コンピュータを
前記第２の機器において受信したデータを管理するデータ管理処理を実行させるための第１プログラムが停止している状態で、前記第２の機器との通信接続が維持される第１の通信方式により当該第２の機器と通信を行う第１通信部、
前記第２の機器において前記第１のプログラムが起動している状態で、前記第２の機器との通信接続が維持される第２の通信方式により当該第２の機器と通信を行う第２通信部、
前記第２の機器において前記第１プログラムが起動していない場合には、前記第１通信部で第２の機器との間で所定の通信を行うことにより当該第２の機器で前記第１のプログラムを起動状態に移行させた後に、前記第２の機器との間で前記第２通信部を介してデータ転送を実行する制御部、
として機能させることを特徴とするプログラム。
【請求項１９】
データ処理装置において、第１の機器と連携して所定のデータ処理を行うデータ処理方法であって、
前記第１の機器から送信され受信したデータを管理するデータ管理処理を実行させるための第１プログラムを記憶する記憶ステップと、
前記第１プログラムが停止している状態で、前記第１の機器との通信接続が維持される第１の通信方式により通信を行う第１通信ステップと、
前記第１のプログラムが起動している状態で、前記第１の機器との間の通信接続が維持される第２の通信方式により通信を行う第２通信ステップと、
前記第１プログラムが起動していない場合には、前記第１通信ステップで前記第１の機器との間で所定の通信を行うことにより前記第１のプログラムを起動状態に移行させた後に、前記第２通信ステップで前記第１の機器からデータを受信して前記データ管理処理を実行させる制御部と、
を有することを特徴とするデータ処理方法。
【請求項２０】
第１の機器と連携して所定のデータ処理を行うようにコンピュータを実行させるプログラムであって、
前記コンピュータを
前記第１の機器から送信され受信したデータを管理するデータ管理処理を実行させるための第１プログラムを記憶する記憶部、
前記第１プログラムが停止している状態で、前記第１の機器との通信接続が維持される第１の通信方式により通信を行う第１通信部、
前記第１のプログラムが起動している状態で、前記第１の機器との間の通信接続が維持される第２の通信方式により通信を行う第２通信部、
前記第１プログラムが起動していない場合には、前記第１通信部で前記第１の機器との間で所定の通信を行うことにより前記第１のプログラムを起動状態に移行させた後に、前記第１の機器との間で前記第２通信部を介してデータ転送を行って前記データ管理処理を実行させる制御部、
として機能させることを特徴とするプログラム。